(57)【要約】【課題】誘電体バリア放電灯を配光不良を生じさせることなく、広い調光範囲で調光可能にする。【解決手段】  山が大きい突部１３１ａ，１３２ａ相互間の間隔は狭く、山が小さい突部１３１ｂ，１３２ｂ相互間の距離は大きい。これにより、突部１３１ｂ，１３２ｂ相互間では突部１３１ａ，１３２ａ相互間よりも放電しにくい。ランプ電圧を低くすると、突部１３１ａ，１３２ａ相互間のみにおいて放電することになり、調光が可能である。この場合でも、突部１３１ａ，１３２ａは、ガラスバルブ１１ａの長軸方向の全域に分散配置されており、配光不良が生じることはない。【選択図】      図１
2006302845.tif 000002
【特許請求の範囲】
【請求項１】
希ガスを封入した円筒形状の放電バルブと、
前記放電バルブの外周面に対向配置して相互に第１及び第２の間隔で設ける一対の電極であって、前記第１の間隔を得るための第１の形状と前記第１の間隔よりも広い第２の間隔を得るための第２の形状とを有し、前記放電バルブの長軸方向には複数の前記第１及び第２の形状部分を交互に配置した外部電極とを具備した誘電体バリア放電灯を有することを特徴とする誘電体バリア放電灯装置。
【請求項２】
前記放電バルブの内周面に、前記第２の形状に対応した位置の膜厚が前記第１の形状に対応した位置の膜厚よりも厚い膜厚で形成する蛍光体膜を更に具備したことを特徴とする請求項１に記載の誘電体バリア放電灯装置。
【請求項３】
請求項１に記載の誘電体バリア放電灯と、
前記第１及び第２の形状の位置において放電を可能にするためのランプ電圧を発生すると共に、前記第１の形状の位置においてのみ放電を可能にするためのランプ電圧を発生する電圧制御回路と、
前記電圧制御回路に前記誘電体バリア放電灯のランプ電流をフィードバックしてランプ電圧を制御するための電流検出手段とを具備したことを特徴とする誘電体バリア放電灯装置。
【発明の詳細な説明】
【技術分野】
【０００１】
本発明は、容量性を有する放電灯を点灯させる誘電体バリア放電灯装置に関する。
【背景技術】
【０００２】
従来、複写機、スキャナー等の読み取り用光源として、外面電極蛍光ランプを採用することがある。外面電極蛍光ランプは、環境負荷が高い水銀を使用していない点、周囲温度による光量変化が少ない点、発熱が少ない点、蛍光体を選択することにより発光色を変えることができる点等の特徴を有する。
【０００３】
外面電極蛍光ランプの点灯電圧は、高周波を発生するインバータ回路によって得られる。この場合において、インバータ回路を構成するプッシュプル回路の周波数を変化させることで、外面電極蛍光ランプの調光が可能である。
【０００４】
更に、本件出願人は先に出願した特許文献１において、プッシュプル回路のスイッチングを負帰還制御する第１の制御手段、スイッチングの制御による高周波出力を変化させて調光する第２の制御手段及び外面電極蛍光ランプに印加される電圧ピーク値を制御する第３の制御手段を備えることにより、調光範囲を広げることを可能にした提案を行っている。
【特許文献１】特開２００２−２０３６９９号公報
【発明の開示】
【発明が解決しようとする課題】
【０００５】
ところで、外面電極蛍光ランプは、バルブ外面に電極を有しており、電極とバルブとによって容量負荷を構成する。なお、バルブの内外面に電極を構成した内外面電極放電灯においても容量負荷となる。これらのランプは誘電体バリア放電によって点灯しており、誘電体バリア放電灯と呼ばれる。
【０００６】
誘電体バリア放電灯においては、ランプの点灯電圧及び電流に変化が無い場合でも、ランプの温度特性によって、点灯開始から所定時間経過すると光量に変化が生じてしまう。しかも、このような時間経過に伴う光量の変化は、調光率毎に異なる特性となる。
【０００７】
例えば、光量を増大させるために、点灯電圧を上げると、ランプの損失も大きくなり、バルブ内に封入された希ガスの温度上昇が促進されて効率が低下してしまう。これにより、光量の低下が大きくなってしまう。逆に、光量を低下させるために、点灯電圧を下げると、ランプの損失も小さくなり、希ガスの温度上昇が抑制されて効率が高くなる。即ち、この場合には、光量が増大する傾向となる。
【０００８】
このため、誘電体バリア放電灯をスキャナー等の読み取り用光源として用いる場合には、特性の変化が比較的小さい調光範囲での使用に限られる。
【０００９】
また、スキャナー等の読み取り用光源として用いられる誘電体バリア放電灯は、細長い筒状のバルブを採用している。ところが、調光を行うために、例えばランプ点灯電圧を低下させると、長軸方向の両端側で光量が低下し、配光不良が生じることがある。
【００１０】
これらの理由から、十分広い調光範囲での使用が困難であるという問題点があった。例えば、誘電体バリア放電灯をスキャナー等の読み取り用光源として用いる場合には、調光率として１００〜８０％程度の範囲でしか使用することができなかった。
【００１１】
本発明は、広い調光範囲での使用を可能にすることができる誘電体バリア放電灯装置を提供することを目的とする。
【課題を解決するための手段】
【００１２】
本発明に係る誘電体バリア放電灯装置は、希ガスを封入した円筒形状の放電バルブと、前記放電バルブの外周面に対向配置して相互に第１及び第２の間隔で設ける一対の電極であって、前記第１の間隔を得るための第１の形状と前記第１の間隔よりも広い第２の間隔を得るための第２の形状とを有し、前記放電バルブの長軸方向には複数の前記第１及び第２の形状部分を交互に配置した外部電極とを具備した誘電体バリア放電灯を有することを特徴とする。
【００１３】
本発明においては、第２の形状の位置では、一対の電極相互間の間隔が第１の形状部分よりも広い。従って、第１の形状部分の方が第２の形状部分よりも放電しやすい。例えば、比較的低いランプ電圧が供給されると第１の形状部分のみにおいて放電が行われる。第１の形状及び第２の形状は、放電バルブの長軸方向には交互に分散して配置している。従って、第１の形状の部分のみにおいて放電が行われる場合でも、放電バルブの長軸方向の全域において放電が行われることになる。こうして、配光不良を生じることなく、２種類の調光率での点灯を行う。
【発明の効果】
【００１４】
本発明によれば、広い調光範囲での使用を可能にすることができるという効果を有する。
【発明を実施するための最良の形態】
【００１５】
以下、図面を参照して本発明の実施の形態について詳細に説明する。図１は本発明の第１の実施の形態に係る誘電体バリア放電灯装置に採用される誘電体バリア放電灯である外面電極放電灯の周面を示す側面図であり、図２はその縦断面図である。なお、図１（ａ），（ｂ）は夫々図２の矢印Ｃ方向又はＤ方向から見た側面を示し、図２（ａ），（ｂ）は夫々図１のＡ−Ａ’線又はＢ−Ｂ’線にて切断した断面形状を示している。また、図３は透光性樹脂シート１５の展開図である。図４は図１の誘電体バリア放電灯の等価回路図である。
【００１６】
本実施の形態においては、放電灯として誘電バリア放電灯である外面電極放電灯を採用する。本実施の形態は十分に大きな調光範囲での点灯制御を可能にするものであり、例えば、１００％調光と５０％調光との２種類の調光率での点灯を可能にする。
【００１７】
先ず、図１乃至図４を参照して、このような２種類の調光率での点灯が可能な外面電極放電灯の構造について説明する。
【００１８】
放電灯は、透光性バルブであるガラスバルブ１１ａの外面に、放電を生起させるための１対の電極１３１，１３２（図２の塗り潰し部）を有している。誘電体バリア放電灯では、電極１３１，１３２の少なくとも１つをガラスバルブ１１ａの外面に設けている。ガラスバルブ１１ａの内面には発光層を設け、ガラスバルブ１１ａの内部に希ガスを封入する。
【００１９】
即ち、図２の断面図に示すように、放電灯は、放電容器１１、蛍光体層１２、１対の外部電極１３１，１３２、アパーチャ１４、透光性樹脂シート１５及び透光性絶縁チューブ１６を有している。
【００２０】
放電容器１１は、細長く、両端が気密に封止された例えば直径１０ｍｍ、実効長さ３７０ｍｍのガラスバルブ１１ａからなり、一端に排気チップオフ部１１ｂを有する。放電容器１１の内部には、放電媒体としてキセノンを封入している。蛍光体層１２は、放電容器１１の内面に長手方向に沿ったスリット状の部分（アパーチャ１４）以外の部分に形成する。
【００２１】
本実施の形態においては、蛍光体層１２は、図２の紙面下方側において厚さが薄い薄膜部１２ａと、紙面左右側において厚さが厚い厚膜部１２ｂとを有している。
【００２２】
１対の外部電極１３１，１３２は、夫々アルミ箔からなり、図１に示すように、離間対向させて放電容器１１の外面に貼着する。外部電極１３１，１３２は、予め後述する透光性樹脂シート１５の一面に粘着し、透光性樹脂シート１５を放電容器１１の外周に巻き付けることによって放電容器１１の外面の所定位置に配設するようになっている。外部電極１３１，１３２は、図４に示すように、電極主部１３ａ、端子接続部１３ｂ及び端子１３ｃを有する。
【００２３】
本実施の形態においては、電極主部１３ａは、ガラスバルブ１１ａの長軸方向に、鋸歯状の凹凸形状を有する。即ち、図１に示すように、外部電極１３１は高い山と低い山との２種類の突部１３１ａ，１３１ｂが交互に配置された鋸歯形状を有する。また、同様に、外部電極１３２は高い山と低い山との２種類の突部１３２ａ，１３２ｂが交互に配置された鋸歯形状を有する。
【００２４】
図２のＣ方向から見た図１（ａ）の側面図に示すように、突部１３１ａは、ガラスバルブ１１ａの周面上端から下端の大部分の領域に形成され、突部１３１ｂは、ガラスバルブ１１ａの周面上端側のみに形成される。なお、図２（ａ）は突部１３１ｂ部分における断面構造を示し、図２（ｂ）は突部１３１ａ部分における断面構造を示している。なお、突部１３２ａ，１３２ｂは、突部１３１ａ，１３１ｂと同様の形状で、ガラスバルブ１１ａの周面の対向する位置に、形成されている。
【００２５】
図１（ｂ）は図２のＤ方向から見たガラスバルブ１１の側面図であり、高い山の突部１３１ａ，１３２ａ同士及び低い山の突部１３１ｂ，１３２ｂ同士が対向配置されている様子を示している。
【００２６】
図３に示すように、鋸歯状に形成された外部電極１３１，１３２は、放電容器１１の長手方向の大部分にわたり延在するように構成している。端子接続部１３ｂは、電極主部１３ａの一端に接続して配設し、端子１３ｃとの接触面積が大きくなるように方形状に形成している。端子１３ｃは、端子接続部１３ｂに導電性接着剤により接着する。端子１３ｃは、透光性樹脂シート１５及び透光性熱収縮チューブである透光性絶縁チューブ１６から外部に突出している。
【００２７】
アパーチャ１４は、放電容器１１の長手方向に沿って、蛍光体層１２を形成していないスリット状部分である。従って、放電容器１１のアパーチャ１４の部分は、ガラスバルブ１１ａを介して放電容器１１の内部が素通しになって見える。
【００２８】
透光性樹脂シート１５は、透明なＰＥＴからなり、放電容器１１の実質的全長にわたる長さで、かつ放電容器１１の周囲方向に対してアパーチャ１４の上から被覆するような幅を有している。上述したように、一面に１対の外部電極１３１，１３２を所定間隔で貼着している。更に、その上にアクリル系粘着材を塗布して、放電容器１１の外面に貼着している。これにより１対の外部電極１３１，１３２は、アパーチャ１４を挟んでその両側の位置に配設され、アパーチャ１４の上に透光性樹脂シート１５が貼着される。
【００２９】
透光性絶縁チューブ１６は、透明フッ素系樹脂からなり、外部電極１３１，１３２及びアパーチャ１４の上から放電容器１１の全周を被覆している。
【００３０】
放電灯の等価回路は、図４に示すように、コンデンサＣｉｎ１と負荷抵抗ＲＬ及びコンデンサＣｉｎ２の直列回路と、コンデンサＣｏｕｔ１とコンデンサＣｏｕｔ２の並列回路を有する。コンデンサＣｉｎ１，Ｃｉｎ２は、外部電極１３１，１３２と放電容器１１の内面との間に形成される静電容量である。従って、コンデンサＣｉｎ１，ｉｎ２の静電容量は、外部電極１３１，１３２の面積、放電容器１１の構成材料であるガラスの比誘電率及び厚さにより決定する。このように、放電灯は、容量性を有する。
【００３１】
図１に示すように、高い山の突部１３１ａ，１３２ａの先端近傍位置におけるガラスバルブ１１ａの内周面には、蛍光体層１２の薄膜部１２ａを形成している。また、低い山の突部１３１ｂ，１３２ｂの先端近傍位置におけるガラスバルブ１１ａの内周面には、蛍光体層１２の厚膜部１２ｂを形成している。
【００３２】
図１乃至図３に示す放電灯は、一対の電極１３１，１３２の印加電圧によって発生する電界に応じて放電する。外部電極１３１，１３２は鋸歯状の形状を有しており、電界は鋸歯形状の山の先端、即ち、突部１３１ａ，１３２ａ，１３１ｂ，１３２ｂの先端に集中し、隣り合った突部１３１ａ，１３２ａ同士又は突部１３１ｂ，１３２ｂ同士の間で放電路が形成される。この場合には、対向する電極同士の距離が短い方が放電しやすい。つまり、突部１３１ａ，１３２ａ同士の方が突部１３１ｂ，１３２ｂ同士よりも、低いランプ電圧で放電を開始する。
【００３３】
また、蛍光体層１２は、放電時の抵抗要素となっている。厚い蛍光体ほど、放電を妨げる。本実施の形態においては、突部１３１ａ，１３２ａの先端近傍には、薄い膜厚の薄膜部１２ａを形成しており、この部分において比較的放電しやすい。一方、突部１３１ｂ，１３２ｂの先端近傍には、厚い膜厚の厚膜部１２ｂを形成しており、この部分においては比較的放電しにくくなっている。
【００３４】
このような構成の放電灯においては、十分に高いランプ電圧を印加すると、外部電極１３１，１３２の全域において、突部１３１ａ，１３２ａ同士及び突部１３１ｂ，１３２ｂ同士の間で放電路が形成される。こうして、この場合には、ガラスバルブ１１ａの全域において、十分な光量での点灯が行われる。
【００３５】
一方、ランプ電圧が所定値よりも小さい場合には、外部電極１３１，１３２のうち、先端相互間の距離が比較的大きい突部１３１ｂ，１３２ｂ相互間においては放電が発生せず、先端相互間の距離が比較的小さい突部１３１ａ，１３２ａ相互間においてのみ放電が生じる。外部電極１３１，１３２は、高い山の突部１３１ａ，１３２ａが、間に突部１３１ｂ，１３２ｂを介在させながら、ガラスバルブ１１ａの長軸方向の全域に略均等に配置されており、突部１３１ａ，１３２ａ相互間のみの放電によっても、ガラスバルブ１１ａの長軸方向の全域において、略均一な発光が生じる。また、この場合には、突部１３１ａ，１３２ａ相互間及び突部１３１ｂ，１３２ｂ相互間の全てで放電が行われる場合を１００％調光とすると、例えば５０％調光での点灯が行われる。
【００３６】
なお、蛍光体層１２が突部１３１ａ，１３２ａの先端近傍において薄膜部１２ａを有し、突部１３１ｂ，１３２ｂの先端近傍において厚肉部１２ｂを有しているので、突部１３１ａ，１３２ａ相互間においては一層放電しやすく、突部１３１ｂ，１３２ｂ相互間においては一層放電しにくくなっており、ランプ電圧の変化に応じた放電制御を一層確実なものとすることができ、１００％調光と５０％調光とを確実に制御することができる。
【００３７】
このように、本実施の形態において採用する誘電体バリア放電灯は、放電しやすい外部電極の突部を長軸方向に略均等に分散配置しており、ランプ電圧を変更することで、配光不良を生じることなく例えば５０％調光での点灯が可能である。
【００３８】
図５は図１乃至図３に示す誘電体バリア放電灯を点灯させるための放電灯点灯装置を示す回路図である。
【００３９】
図１乃至図３に示す誘電体バリア放電灯は、２種類のランプ電圧を供給する必要がある。図５の放電灯点灯装置は、このような２種類のランプ電圧を安定的に供給可能にするものである。
【００４０】
図５において、放電灯点灯装置２１は、電圧制御回路を構成するチョッパ回路２８と、インバータ回路を構成するプッシュプル回路２３とを有している。チョッパ回路２８には、直流電源ＤＰ１１及び点灯制御スイッチＳＷ１１を接続している。直流電源ＤＰ１１は例えば電圧２４Ｖであるが、この電圧は±数％程度変動することもあるので、チョッパ回路２８により電圧の安定化を図っている。即ち、直流電源ＤＰ１１の出力はチョッパ回路２８に供給する。チョッパ回路２８は、入力電圧を昇圧又は降圧して、点灯制御スイッチＳＷ１１のオンオフに応じた直流の出力電圧を発生する。
【００４１】
本実施の形態においては、チョッパ回路２８は、点灯制御スイッチＳＷ１１がオンの場合とオフの場合とで、夫々異なる電圧値の２種類の出力電圧を発生する。
【００４２】
プッシュプル回路２３は、例えば並列に２個の電界効果トランジスタ（図示せず）を有して構成される。各トランジスタの２つの出力端は、トランス２４の１次コイルの両端に接続する。
【００４３】
昇圧トランス２４の２次コイルには、放電灯６及び抵抗Ｒ１３の直列回路を接続する。放電灯６としては、図１乃至図３に示した外面電極放電灯を採用する。チョッパ回路２８の正極性出力端は昇圧トランス２４の１次コイルの中点に接続し、負極性出力端は昇圧トランス２の２次コイルの一端に接続する。
【００４４】
放電灯６と昇圧トランス２４の２次コイルの一端に接続された抵抗Ｒ１３との接続点には、ダイオードＤ１１のアノードを接続する。ダイオードＤ１１カソードは、時定数回路２６を介して基準電位点に接続する。時定数回路２６は、抵抗Ｒ１６とコンデンサＣ１１を直列接続して構成する。
【００４５】
また、時定数回路２６には並列に抵抗Ｒ１７を接続する。抵抗Ｒ１６，Ｒ１７の接続点は、チョッパ回路２８の制御端子に接続する。抵抗Ｒ１６，Ｒ１７の接続点にはランプ電流に応じた電流が流れ、この電流（制御電流）をチョッパ回路２８の制御端子にフィードバックさせることで、チョッパ回路２８は安定したランプ電圧を発生するようになっている。
【００４６】
次に、このように構成された点灯装置２１の動作を図６の波形図を参照して説明する。図６（ａ）乃至（ｆ）は夫々図５中の（ａ）乃至（ｆ）点における電圧，電流波形を示している。
【００４７】
チョッパ回路２８は、点灯制御スイッチＳＷ１１のオフ時に、放電灯６を１００％調光させるのに必要な電圧を発生し、点灯制御スイッチＳＷ１１のオン時に、放電灯６を５０％調光させるのに必要な電圧を発生するものとする。
【００４８】
いま、点灯開始時において、点灯制御スイッチがオフであるものとする。時点ｔ１で電源が投入されると、図６（ｂ）に示すように、チョッパ回路２８の出力である（ｂ）点の電位Ｖｂが、時点ｔ１から少し遅れた時点ｔ２から点灯開始時の所定電圧Ｖｂ１となる。この電圧は昇圧トランス２４の１次側中点に印加する。
【００４９】
一方、プッシュプル回路２３は、トランス２４の１次側コイルの両端に、図６（ｄ），（ｅ）に示すように、互いに逆極性の駆動パルスを加えている。これにより、図６（ｃ）に示すように、昇圧トランス２４にて昇圧された電圧が所定の電圧に達して、その時点ｔ３で、放電灯６が点灯する。
【００５０】
放電灯６が点灯すると抵抗Ｒ１３に電流が流れ、ダイオードＤ１１を介して時定数回路２６に電流が流れる。そして、この電流は、抵抗Ｒ１６，Ｒ１７の接続点からチョッパ回路２８の制御端子にフィードバックされる。
【００５１】
放電灯６は、始動時には定常状態よりも若干高い電圧を印加する必要があり、チョッパ回路２８は、若干高い電圧Ｖｂ１を出力して放電灯が点灯すると、時点ｔ４において出力電圧を定常時の電圧Ｖｂ２まで低下させる。
【００５２】
チョッパ回路２８は、制御端子にフィードバックされる制御電流が大きくなると、出力電圧Ｖｂを下降させ、制御電流が小さくなると、出力電圧Ｖｂを増加させる。こうして、チョッパ回路２８は、１００％調光に必要な電圧Ｖｂ２に定電圧制御される。
【００５３】
このように、点灯開始から所定時間（ｔ１〜ｔ４）までは、放電灯６には比較的高い電圧を印加し、時点ｔ４以降ではこの電圧よりも低い電圧を放電灯６に印加する始動制御を行う。
【００５４】
この１００％調光時には、放電灯６は、図１乃至図３に示す外部電極１３１，１３２の突部１３１ａ，１３２ａ相互間及び１３１ｂ，１３２ｂ相互間の全てで放電状態となり、十分な明るさで点灯する。
【００５５】
ここで、５０％調光を行うために、点灯制御スイッチＳＷ１１がオンになるものとする。なお、点灯制御スイッチＳＷ１１は、例えば、放電灯点灯装置が複写機に用いられる場合には、複写機のモードに応じた制御信号によってオン，オフ制御される。例えば、複写機がカラーモードの場合には点灯制御スイッチＳＷ１１はオフであり、モノクロモードの場合には点灯制御スイッチＳＷ１１はオンである。また、例えば、異なる速度の複写機に用いる場合には、その速度に応じてオン，オフを固定する。例えば、高速の複写機に用いる場合には点灯制御スイッチＳＷ１１は常にオフであり、低速の複写機に用いる場合には点灯制御スイッチＳＷ１１は常にオンである。
【００５６】
点灯制御スイッチＳＷ１１がオンになると、チョッパ回路２８は出力電圧を５０％調光に必要な電圧Ｖｂ３まで低下させる。チョッパ回路２８の出力電圧が低下することによって、ランプ電圧及びランプ電流は低下する。ランプ電圧が低下することによって、上述したように、図１乃至図３に示す構造を有する放電灯６は、先端が相互に隣接した突部１３１ａ，１３２ａ相互間のみで放電する。即ち、放電灯６は５０％調光で点灯する。なお、上述したように、この場合でも、放電灯６は、長軸方向の全域において均一に点灯し、良好な配光特性を有する。
【００５７】
この場合には、図６（ｃ）に示すように、（ｃ）点におけるランプ電流は１００％調光時の約１／２まで低下する。（ｃ）点のランプ電流はチョッパ回路２８の制御端子にフィードバックされる。これにより、以後、チョッパ回路２８は、ランプ電流に応じて、５０％調光に適した出力電圧Ｖｂ３を維持する。
【００５８】
なお、１００％調光時のランプ電圧と５０％調光時のランプ電圧の変化率は、光量の変化に比べて小さい。一方、１００％調光時のランプ電流と５０％調光時のランプ電流の変化率は、光量の変化に略等しい。従って、チョッパ回路２８がランプ電流に応じて出力制御を行うことにより、高精度の出力制御が容易となり、調光率に応じた安定した出力電圧を発生することができる。
【００５９】
このように本実施の形態においては、外面電極放電灯等の誘電体バリア放電灯を、配光不良を生じさせることなく、十分に広い調光範囲で点灯させることができる。
【００６０】
なお、上記実施の形態においては、放電灯の外部電極として２種類の高さの突部を有するものを採用し、放電灯点灯装置で２種類のランプ電圧を供給することで、２種類の調光を可能にする例を説明したが、３種類以上の高さの突部を有する外部電極を採用し、放電灯点灯装置で３種類以上のランプ電圧を供給することで、３種類以上の調光を可能にすることができる。
【００６１】
また、対向配置される外部電極同士の間隔を異ならせるものであれば、外部電極の形状は鋸歯状でなくてもよいことは明らかである。また、高い山の突部同士又は低い山の突部同士は必ずしも対向配置されている必要はない。また、対向する２つの電極は形状が相互に異なるものであってもよい。
【図面の簡単な説明】
【００６２】
【図１】本発明の第１の実施の形態に係る誘電体バリア放電灯装置に採用される誘電体バリア放電灯である外面電極放電灯の周面を示す側面図。
【図２】図１の縦断面図。
【図３】透光性樹脂シート１５の展開図。
【図４】図１の誘電体バリア放電灯の等価回路図。
【図５】図１乃至図３に示す誘電体バリア放電灯を点灯させるための放電灯点灯装置を示す回路図。
【図６】点灯装置の動作を示すタイミングチャート。
【符号の説明】
【００６３】
１１ａ…ガラスバルブ、１３１，１３２…外部電極、１３１ａ，１３２ａ，１３１ｂ，１３２ｂ…突部、１２…蛍光体層、１２ａ…薄膜部、１２ｂ…厚膜部、２１…放電灯点灯装置、２３…プッシュプル回路、２４…昇圧トランス、２６…時定数回路、２８…チョッパ回路。  
【図１】
2006302845.tif 000003
【図２】
2006302845.tif 000004
【図３】
2006302845.tif 000005
【図４】
2006302845.tif 000006
【図５】
2006302845.tif 000007
【図６】
2006302845.tif 000008